(57)【特許請求の範囲】
【請求項１】
戸の端部に設けられ、前記戸の全開時又は全閉時に戸に対して外に出る方向の突出量が最小で、また前記戸の開閉途中に突出量が最大となるセーフティシューと、
前記セーフティシューの、前記戸に対して外に出る方向の突出量に関わらず、前記戸側に対する押し込みの有無を検知するとともに、有の場合に前記戸に対する反転の信号を出力するシュースイッチと、
前記戸に設けられ、前記戸の全開、全閉時には前記セーフティシューと当接しており、前記戸の開閉途中に前記セーフティシューが前記戸に対して外に出る方向に突出するのに連動して前記セーフティシューから離間するサブスイッチと、を備え、
前記戸の閉動作中に、前記セーフティシューが前記戸側に押し込まれたときに、前記サブスイッチが前記セーフティシューと当接し、前記シュースイッチが前記戸側に対する前記セーフティシューの押し込みの有を検知しないとき、前記シュースイッチの故障が検知されることを特徴とするエレベータかごのドア安全装置。
【請求項２】
前記セーフティシューが前記戸に対して押し込まれない前記戸の全閉時に、前記シュースイッチが、前記セーフティシューの押し込みの有りを検出することで、前記シュースイッチが前記戸側に対する前記セーフティシューの押し込みを検知し続ける前記シュースイッチの故障を検知することを特徴する請求項１に記載のエレベータかごのドア安全装置。
【請求項３】
前記戸の全閉時に、前記サブスイッチが、前記セーフティシューからの離間を検出することで、前記サブスイッチが前記セーフティシューとの当接を検知しない前記サブスイッチの故障を検知することを特徴とする請求項１または２に記載のエレベータかごのドア安全装置。
【請求項４】
前記戸の開動作中で、前記シュースイッチが、前記セーフティシューの押し込みの有りを検出しないのに、前記サブスイッチが、前記セーフティシューとの当接を検出することで、前記サブスイッチが前記セーフティシューとの離間を検知しない前記サブスイッチの故障を検知することを特徴とする請求項１〜３の何れか１項に記載のエレベータかごのドア安全装置。
【請求項５】
前記サブスイッチは、非接触スイッチであることを特徴とする請求項１〜４の何れか１項に記載のエレベータかごのドア安全装置。
【請求項６】
前記シュースイッチ及び前記サブスイッチの故障情報を入力するセンサ入力部を有する制御部と、この制御部に電気的に接続され前記故障情報を入力する監視センタとを備えてことを特徴とする請求項１〜５の何れか１項に記載のエレベータかごのドア安全装置。
【請求項７】
前記戸の制御基盤には、前記シュースイッチ及び前記サブスイッチの故障情報を入力するセンサ入力部、及びこのセンサ入力部に電気的に接続され前記故障情報を表示する表示器を有することを特徴とする請求項１〜６の何れか１項に記載のエレベータかごのドア安全装置。
【発明の詳細な説明】
【技術分野】
【０００１】
この発明は、かごの戸が閉まる途中、戸の端部に設けられたセーフティシューが障害物に接触したときに、戸を反転して開くようになっているエレベータかごの戸安全装置に関する。
【背景技術】
【０００２】
近年、エレベータかごの戸が閉まる途中に障害物が挟まれるのを防止する安全装置としては、多光軸の赤外線ビームを用いたセンサを利用する方式が主流である。
この赤外線ビーム方式の場合、利用者が乗り込む際に、必ずビームを遮ることとなるので、センサのＯＦＦ故障(赤外線ビームが遮られていることを検知できない故障)を検知することが容易であり、実際に故障検知機能を有しているものが実用化されている。
【０００３】
一方、セーフティシューを備えた機械式のエレベータかごの戸安全装置についても、コストが安いこと、赤外線ビーム方式のセンサが使えないような外乱光のある環境でも使用できる等の利点からエレベータ装置に多く用いられている（例えば、特許文献１参照）。
このエレベータかごの戸安全装置では、セーフティシューが押し込まれない状況下の戸の全閉中において、シュースイッチに電流が遮断されたままの状態（シュースイッチのＯＦＦ故障）であってセーフティシューの戸反転信号が「ＯＮ」となっていることを検知することで、セーフティシューのＯＮ故障（戸から突出したセーフティシューに対する押し込みが無いのに、セーフティシューの押し込みと判断）を検知している。
このセーフティシューのＯＮ故障は、シュースイッチに接続されたケーブルの断線、シュースイッチの取付位置の誤り等に起因している。
【先行技術文献】
【特許文献】
【０００４】
【特許文献１】特開平５-９７３６４号公報
【発明の概要】
【発明が解決しようとする課題】
【０００５】
しかしながら、このエレベータかごの戸安全装置は、セーフティシューのＯＮ故障を検知する機能を有しているものの、フェールセーフの観点からより高い安全性を得る必要があるという問題点があった。
【０００６】
この発明は、かかる問題点を解決することを課題とするものであって、セーフティシューのＯＦＦ故障の検知も可能にすることで、より高い安全性を有するエレベータかごの戸安全装置を得ることを目的とする。
【課題を解決するための手段】
【０００７】
この発明に係るエレベータかごの戸安全装置は、戸の端部に設けられ、前記戸の全開時又は全閉時に戸に対して外に出る方向の突出量が最小で、また前記戸の開閉途中に突出量が最大となるセーフティシューと、
前記セーフティシューの、前記戸に対して外に出る方向の突出量に関わらず、前記戸側に対する押し込みの有無を検知するとともに、有の場合に前記戸に対する反転の信号を出力するシュースイッチと、
前記戸に設けられ、前記戸の全開、全閉時には前記セーフティシューと当接しており、前記戸の開閉途中に前記セーフティシューが前記戸に対して外に出る方向に突出するのに連動して前記セーフティシューから離間するサブスイッチと、を備え、
前記セーフティシューが前記戸側に押し込まれたときに、前記シュースイッチが前記戸側に対する前記セーフティシューの押し込みの有を検知しない前記シュースイッチの故障時にも、前記戸の閉動作中に、前記サブスイッチが、前記セーフティシューと当接し、前記シュースイッチの故障を検知するようになっている。
【発明の効果】
【０００８】
この発明のエレベータかごの戸安全装置によれば、戸に対するセーフティシューの突出量が所定の量以上か否かを検知するサブスイッチを戸に設けたので、セーフティシューのＯＮ故障を検知する機能のみではなく、セーフティシューのＯＦＦ故障の検知も可能となり、より高い安全性を得ることができる。
【図面の簡単な説明】
【０００９】
【図１】この発明の実施の形態１のエレベータかごの戸安全装置を備えたエレベータ装置の要部正面図であって、かごの戸が全閉時のエレベータかごの戸安全装置の態様を示す図である。
【図２】図１のエレベータ装置の要部正面図であって、戸の開閉途中のエレベータかごの戸安全装置の態様を示す図である。
【図３】図１のエレベータ装置の要部正面図であって、戸が閉途中にセーフティシューが押されたときのエレベータかごの戸安全装置の態様を示す図である。
【図４】戸の位置とセーフティシューの突出量との関係を示す図である。
【図５】セーフティシューのＯＮ故障（シュースイッチのＯＦＦ故障）を検知する手順を示すフローチャート図である。
【図６】サブスイッチのＯＦＦ故障を検知する手順を示すフローチャート図である。
【図７】セーフティシューのＯＦＦ故障（シュースイッチのＯＮ故障）を検知する手順を示すフローチャート図である。
【図８】サブスイッチのＯＮ故障を検知する手順を示すフローチャート図である。
【図９】この発明の実施の形態２のエレベータかごの戸安全装置を備えたエレベータ装置の要部正面図であって、戸が全閉時のエレベータかごの戸安全装置の態様を示す図である。
【図１０】図９のＡ-Ａ線に沿った矢視断面図である。
【図１１】図９のエレベータ装置の要部正面図であって、戸の開閉途中のエレベータかごの戸安全装置の態様を示す図である。
【図１２】この発明の実施の形態３のエレベータかごの戸安全装置を示すブロック図である。
【図１３】この発明の実施の形態４のエレベータかごの戸安全装置を示すブロック図である。
【図１４】エレベータかごの戸安全装置のシュースイッチが故障したときにサブスイッチを用いて戸を反転させる手順を示すフローチャート図である。
【発明を実施するための形態】
【００１０】
以下、この発明の各実施の形態について図に基づいて説明するが、各図において、同一、または相当部材、部位については同一符号を付して説明する。
【００１１】
図１はこの発明の実施の形態１のエレベータかごの戸安全装置を備えたエレベータ装置の要部正面図であって、かごの戸４が全閉時のエレベータかごの戸安全装置の態様を示す図である。なお、図において、一方の戸４側についてのみ示されているが、他方の戸側も左右対称の構成で動作も同様であるので、他方の戸側の説明は省略する。
このエレベータかごの戸安全装置は、戸４が閉まる途中、戸４の先端に設けられたセーフティシュー１が障害物に接触したときに、戸４を反転させて開くようになっている。
図１のエレベータ装置は、エレベータ昇降路内を昇降するかごの一部を乗場側から視たときの図であり、かごに形成された出入口は、左右の戸４により開閉される。
戸４は、ドアハンガ２０により吊下されている。このドアハンガ２０には、ハンガローラ２１が回転自在に取り付けられている。かごの出入口の上方には水平にレール２２が設けられており、下部には敷居１４が設けられている。
戸４は、かごに設けられたドア駆動モータ（図示せず）の駆動により、ハンガローラ２１がレール２２上を転動することで、敷居１４の溝（図示せず）に沿って左右に移動する。
【００１２】
このエレベータ装置は、エレベータかごの戸安全装置を備えている。
このエレベータかごの戸安全装置では、戸４の片側縁部には、上下方向に延びたセーフティシュー１が設けられている。このセーフティシュー１の上部には、支点４０を介して回動自在に第１のリンク２の一端部が取り付けられている。第１のリンク２の他端部は支点４２を介して戸４に回転自在に取り付けられている。この第１のリンク２の下部には、第１のばね８の一端部が取り付けられている。
セーフティシュー１の下部には、支点４１を介して回動自在に第２のリンク３の一端部が取り付けられている。第２のリンク３は、中間部で支点５を介して回動自在に戸４に取り付けられている。また、第２のリンク３の他端部には、当接部４３が設けられている。
第１のリンク２及び第２のリンク３は、支点４０と支点４１との距離と、支点４２と支点５との距離が等しく、互いに平行が確保された平行リンク機構を構成し、セーフティシュー１は、垂直状態を確保しつつ、戸４に対して水平方向に突出するようになっている。
【００１３】
第２のリンク３の支点５には、従動リンク６の一端部が回動自在に取り付けられている。従動リンク６は、中間下縁部に第２のリンク３の下端部に向かって突出したストッパ７が設けられている。このストッパ７には、セーフティシュー１の自重及び第１のばね８の弾性力により、支点５を中心に時計方向に回動した第２のリンク３が接触している。
また、従動リンク６の下端部にはシュースイッチ９が取り付けられている。シュースイッチ９のレバー９ａは、セーフティシュー１の自重及び第１のばね８の弾性力により、支点５を中心に時計方向に回動した第２のリンク３の先端部の当接部４３に接触している。
そして、戸４に対してセーフティシュー１が押し込まれることで、第２のリンク３は、支点５を中心に反時計方向に回動し、従動リンク６のストッパ７から離間し、また第２のリンク３の当接部４３がシュースイッチ９のレバー９ａから離間することで、戸４に対するセーフティシュー１の押し込みの有無が検知される。
【００１４】
即ち、このシュースイッチ９は、戸４から突出したセーフティシュー１を押し込まないときには、常に「ＯＮ」であり、押し込みがあったときに「ＯＦＦ」となる。
ここで、シュースイッチ９が「ＯＮ」のときには、シュースイッチ９には電流が流れ、セーフティシュー１における戸４の反転信号は「ＯＦＦ」のままである。
また、シュースイッチ９は、レバー９ａが当接部４３から離れた「ＯＦＦ」のときには、シュースイッチ９では電流が遮断され、セーフティシュー１における戸４の反転信号が「ＯＮ」となり、戸４を移動させるドア駆動モータの回転方向が反転する。
【００１５】
ここで、セーフティシュー１のＯＮ故障とは、戸４から突出したセーフティシュー１に対する押し込みが無いのに、セーフティシュー１の押し込みと判断し、セーフティシュー１での戸４の反転信号が「ＯＮ」の状態のままのことを言い、このことはシュースイッチ９では電流が遮断されたままであり、シュースイッチ９のＯＦＦ故障でもある。
【００１６】
また、セーフティシュー１のＯＦＦ故障とは、セーフティシュー１が押し込まれたにも拘わらず、セーフティシュー１の押し込みを検知できず、セーフティシュー１での戸４の反転信号が「ＯＦＦ」の状態のままのことを言い、このことはシュースイッチ９では電流が通電したままの状態であり、シュースイッチ９のＯＮ故障でもある。
【００１７】
なお、シュースイッチ９のＯＦＦ故障は、例えばケーブルの断線、シュースイッチ９の取付け位置の誤り等により生じ、またシュースイッチ９のＯＮ故障は、シュースイッチ９のレバー９ａの当接部４２への凝着、シュースイッチ９の取付け位置の誤り等により生じる。
【００１８】
従動リンク６の上側縁部には、カムフォロア１０が回転自在に取り付けられている。戸４には、カム１１が支点４５を中心に回動自在に取り付けられている。カム１１は、２連リンク１３を介して、戸袋側の敷居１４に固定されており、戸４の位置の変動に応じて、カム１１は、支点４５を中心に回動するようになっている。
このカム１１の支点４５と従動リンク６の上縁部との間には、第２のばね１２が張設されており、この第２のばね１２の弾性力により、カムフォロア１０の周面は、カム１１の周面と常に面接触している。
このカム１１の形状により、戸４の全閉及び全閉近傍、並びに全開及び全開近傍で戸４に対するセーフティシュー１の突出量が小さく、それ以外の戸４の開閉領域では戸４に対するセーフティシュー１の突出量が大きくなるように、カム１１の形状は設計されている。
【００１９】
また、エレベータかごの戸安全装置では、戸４にサブスイッチ１５が取り付けられている。セーフティシュー１には、サブスイッチ１５のレバー１５ａが当接する当て金１６が取り付けられている。
このサブスイッチ１５は、戸４の全閉及び全閉近傍、並びに全開及び全開近傍で戸４に対するセーフティシュー１の突出量が小さいときには、サブスイッチ１５のレバー１５ａが当て金１６に当接し、サブスイッチ１５は「ＯＮ」である。
また、このサブスイッチ１５は、戸４の閉途中において突出したセーフティシュー１が押し込まれることで、「ＯＮ」となる。
また、このサブスイッチ１５は、戸４の閉途中においてセーフティシュー１が戸４に対して突出することで、サブスイッチ１５のレバー１５ａが当て金１６から離間し、サブスイッチ１５は「ＯＦＦ」である。
【００２０】
シュースイッチ９は、セーフティシュー１のＯＮ故障を検知する機能を有しているものの、セーフティシュー１のＯＦＦ故障(セーフティシュー１が押し込まれたのに、セーフティシュー１の押し込みを検知できない故障)を検知できないが、このサブスイッチ１５は、セーフティシュー１のＯＦＦ故障を検知することで、シュースイッチ９の有しない機能を補足している。
サブスイッチ１５は、セーフティシュー１の突出量が規定の量以上の場合にＯＦＦとなり、規定の量未満の場合にＯＮとなるように設定されている。
セーフティシュー１のＯＦＦ故障のときは、セーフティシュー１を押し込んでも、セーフティシュー１での戸４の反転信号が「ＯＦＦ」の状態のままであり、シュースイッチ９では電流を通電したままの状態で、シュースイッチ９のＯＮ故障でもある。
【００２１】
図４は、戸４の位置とセーフティシュー１の突出量との関係を示す図である。
セーフティシュー１が利用者により押し込まれない場合、セーフティシュー１の突出量は、図の実線に示す量であり、戸４の全閉及び全開では戸４に対するセーフティシュー１の突出量が最小であり、それ以外の戸４の開閉領域では戸４に対するセーフティシュー１の突出量が最大となる。
一方、利用者により、セーフティシュー１が押され、突出量が図示の二点鎖線の示す量より小さくなると、シュースイッチ９がＯＦＦとなる。
図４から分かるように、戸４の位置に関わらず、セーフティシュー１を少し押すだけで、シュースイッチ９はＯＦＦとなることを示す。サブスイッチ１５は、戸４の位置に関わらず規定の量よりセーフティシュー１が突出した場合にＯＦＦとなり、規定の量より突出しない場合にＯＮとなる。
【００２２】
次に、上記構成のエレベータかごの戸安全装置の動作について説明する。
このエレベータかごの戸安全装置では、戸４が全閉の時、図１に示すように、セーフティシュー１の突出量は小さく抑えられており、サブスイッチ１５のレバー１５ａがセーフティシュー１に固定された当て金１６と接触しているので、サブスイッチ１５はＯＮとなっている。また、シュースイッチ９もＯＮである。
【００２３】
戸４の開閉途中では、カム１１の支点４５を中心に時計方向に回動し、このカム１１の回動に伴い、カムフォロア１０を介して従動リンク６は支点５を中心に時計方向に回動する。
従動リンク６のストッパ７には、セーフティシュー１の自重及び第１のばね８の弾性力により、支点５を中心にして第２のリンク３には時計方向の力が付勢しており、第２のリンク３は、従動リンク６の支点５を中心にした時計方向の回動に追従するようにして支点５を中心に時計方向に回動する。この結果、図２に示すように、セーフティシュー１は、戸４に対して突出する。
このときには、サブスイッチ１５はＯＦＦであり、またシュースイッチ９はＯＮである。
【００２４】
また、戸４の閉途中において、戸４に対して突出したセーフティシュー１を、利用者が図３の矢印Ａに示す方向に押圧すると、第２のリンク３は支点５を中心に反時計方向に回動し、第２のリンク３の当接部４３がシュースイッチ９のレバー９ａから離間し、シュースイッチ９はＯＦＦとなり、またサブスイッチ１５のレバー１５ａに当て金１６が当接し、サブスイッチ１５は再びＯＮになる。
この結果、シュースイッチ９では電流が遮断され、セーフティシュー１における戸４の反転信号が「ＯＮ」となり、戸４を移動させるドア駆動モータの回転方向が反転し、戸４は開く方向に移動する。
【００２５】
次に、セーフティシュー１の故障、サブスイッチ１５の故障を検知する処理手順について、フローチャート図に基づいて説明する。
図５はセーフティシュー１のＯＮ故障（シュースイッチ９のＯＦＦ故障）を検知する処理手順を示すフローチャート図である。
ステップＳ１において、戸４が全閉時であるか否かが判定され、Ｙｅｓと判定された場合には、シュースイッチ９のＯＦＦか否かが判定される（ステップＳ２）。ステップＳ２において、シュースイッチ９のＯＦＦがＹｅｓと判定された場合には、シュースイッチ９のＯＦＦ故障が検知される（ステップ３）。つまり、セーフティシュー１のＯＮ故障が検知され、図５の処理手順は終了する。
なお、ステップＳ１において、Ｎｏと判定され、またはステップＳ２において、Ｎｏと判定された場合には、そのまま図５の処理手順は終了する。
【００２６】
図６はサブスイッチ１５のＯＦＦ故障を検知する処理手順を示すフローチャート図である。
ステップＳ１において、戸４が全閉時であるか否かが判定され、Ｙｅｓと判定された場合には、サブスイッチ１５がＯＦＦか否かが判定される（ステップＳ２）。ステップＳ２において、サブスイッチ１５のＯＦＦがＹｅｓと判定された場合には、サブスイッチ１５のＯＦＦ故障が検知されて（ステップＳ３）、図６の手順は終了する。
なお、ステップＳ１において、Ｎｏと判定され、またはステップＳ２において、Ｎｏと判定された場合には、そのまま図６の処理手順は終了する。
【００２７】
図７はセーフティシュー１のＯＦＦ故障（シュースイッチ９のＯＮ故障）を検知する処理手順を示すフローチャート図である。
ステップＳ１において、戸４が閉途中であるか否かが判定され、Ｙｅｓと判定された場合には、戸４の位置がＯＦＦ故障検出範囲か否かが判定される（ステップＳ２）。Ｙｅｓと判定された場合は、セーフティシュー１が押し込まれており（ステップＳ３）、このときにシュースイッチ９がＯＮであれば（ステップＳ４）、シュースイッチ９のＯＮ故障が検知される（ステップＳ５）。つまり、セーフティシュー１のＯＦＦ故障が検知され、図７の処理手順は終了する。
なお、ステップＳ１〜ステップＳ４において、Ｎｏと判定された場合には、そのまま図７の処理手順は終了する。
【００２８】
図８はサブスイッチ１５のＯＮ故障を検知する処理手順を示すフローチャート図である。
ステップＳ１において、戸４が開中であるか否かが判定され、Ｙｅｓと判定された場合には、戸４の位置がＯＦＦ故障検出範囲か否かが判定される（ステップＳ２）。Ｙｅｓと判定された場合には、シュースイッチ９がＯＮか否かが判定される（ステップＳ３）。Ｙｅｓと判定された場合には、サブスイッチ１５がＯＮか否かが判定される（ステップＳ４）。Ｙｅｓと判定された場合には、サブスイッチ１５のＯＮ故障が検知されて（ステップＳ５）、図８の処理手順は終了する。
ステップＳ１〜ステップＳ４において、Ｎｏと判定された場合には、そのまま図８の処理手順は終了する。
【００２９】
以上説明したように、この実施の形態によるエレベータかごの戸安全装置によれば、戸４の端部に設けられ、戸４の全開時又は全閉時に戸４に対する突出量が最小で、また戸４の開閉途中に突出量が最大となるセーフティシュー１と、セーフティシュー１の戸４側に対する押し込みの有無を検知するとともに、有の場合に戸４に対する反転の信号を出力するシュースイッチ９と、戸４に設けられ、戸４に対するセーフティシュー１の突出量が所定の量以上か否かを検知するサブスイッチ１５とを備えているので、セーフティシュー１のＯＮ故障を検知することができるだけではなく、セーフティシュー１のＯＦＦ故障の検知も可能となり、より高い安全性を得ることができる。
【００３０】
実施の形態２．
図９はこの発明の実施の形態２のエレベータかごの戸安全装置を備えたエレベータ装置の要部正面図であり、戸４が全閉時のエレベータかごの戸安全装置の態様を示している。図１０は図９のＡ-Ａ線に沿った矢視断面図である。
このエレベータかごの戸安全装置では、サブスイッチである磁気近接スイッチ１７が戸４に固定されている。セーフティシュー１には、プレート１８が取付けられている。
戸４の閉途中のエレベータかごの戸安全装置を示す図１１から分かるように、戸４に対してセーフティシュー１が規定の量以上突出したときには、磁気近接スイッチ１７からプレート１８が離れるように、磁気近接スイッチ１７が戸４に取付けられている。
【００３１】
この磁気近接スイッチ１７は、戸４の全閉及び全閉近傍、並びに全開及び全開近傍で戸４に対するセーフティシュー１の突出量が小さいときには、磁気近接スイッチ１７にプレート１８が接近し、サブスイッチである磁気近接スイッチ１７は「ＯＮ」である。
他の構成は、実施の形態１のエレベータかごの戸安全装置と同じであり、また実施の形態１のエレベータかごの戸安全装置と同じく、戸４の全閉及び全開時は、シュースイッチ９及び磁気近接スイッチ１７は共にＯＮとなる。
また、戸４の開閉途中では、シュースイッチ９はＯＮであり、磁気近接スイッチ１７はＯＦＦとなる。
【００３２】
この実施の形態のエレベータかごの戸安全装置では、実施の形態１のエレベータかごの戸安全装置の効果と同様の効果を得ることができるとともに、サブスイッチとして、非接触の磁気近接スイッチ１７を用いているので、スイッチの寿命が長くなるとともに、スイッチの接点のクリック音が生じないという効果がある。
【００３３】
実施の形態３．
図１２は、この発明の実施の形態３のエレベータかごの戸安全装置を示すブロック図である。
この実施の形態では、制御部２６は、シュースイッチ９及びサブスイッチ１５の故障情報を入力するセンサ入力部２５を備えている。制御部２６は、制御ケーブル２７を通じて制御盤２８に接続されている。制御盤２８は、通信ケーブル２９を通じて監視センタ３０に接続されている。
他の構成は、実施の形態１のエレベータかごの戸安全装置と同じである。
【００３４】
この実施の形態３のエレベータかごの戸安全装置によれば、実施の形態１のエレベータかごの戸安全装置の効果と同様の効果を得ることができるとともに、セーフティシュー１の故障情報、サブスイッチ１５の故障情報を監視センタ３０で簡単に知ることができるという効果がある。
【００３５】
実施の形態４．
図１３は、この発明の実施の形態３のエレベータかごの戸安全装置を示すブロック図である。
この実施の形態では、戸４の制御基盤３２に、シュースイッチ９及びサブスイッチ１５の故障情報を入力するセンサ入力部２５及びその情報を表示する表示器３１を備えている。
表示器３１としては、例えば、ＬＥＤの点灯または点滅する方法、７セグメントディスプレイにより表示する方法等がある。
他の構成は、実施の形態１のエレベータかごの戸安全装置と同じである。
【００３６】
この実施の形態４のエレベータかごの戸安全装置によれば、実施の形態１のエレベータかごの戸安全装置の効果と同様の効果を得ることができるとともに、セーフティシュー１の故障情報、サブスイッチ１５の故障情報を表示器３１で簡単に知ることができるという効果がある。
【００３７】
実施の形態５．
図１４はシュースイッチ９またはサブスイッチ１５の一方が故障した場合に、戸４の反転機能を残すことで、エレベータのサービスを損なわないようにした、処理手順を示したフローチャート図である。
シュースイッチ９及びサブスイッチ１５の何れか一方のスイッチが故障した場合には、故障情報を記録、発報するなどした上で、故障していない方のシュースイッチ９またはサブスイッチ１５によりセーフティシュー１の押し込みを監視し、戸４の反転機能を残すようにしたものである。
【００３８】
シュースイッチ９が故障した場合には、図１４のステップＳ１において、戸４が全閉時であるか否かが判定され、Ｙｅｓと判定された場合には、戸４の位置がＯＦＦ故障検出範囲か否かを判定する（ステップＳ２）。ステップＳ２において、Ｙｅｓと判定された場合には、サブスイッチ１５がＯＮか否かを判定する（ステップＳ３）。ステップＳ３においてＹｅｓと判定された場合には、戸４は反転され、図１４の処理手順は終了する。
ステップＳ１〜ステップＳ３において、それぞれＮｏと判定された場合には、そのまま図１４の処理手順は終了する。
【符号の説明】
【００３９】
１  セーフティシュー、２  第１のリンク、３  第２のリンク、４  かご戸、５  支点、６  従動リンク、７  ストッパ、８  第１のばね、９  シュースイッチ、９ａ  レバー、１０  カムフォロア、１１  カム、１２  第２のばね、１３  二連リンク、１４  敷居、１５  サブスイッチ、１５ａ  レバー、１６  当て金、１７  磁気近接スイッチ（サブスイッチ）、２０  ドアハンガ、２１  ハンガローラ、２２  レール、２５  センサ入力部、２６  制御部、２７  制御ケーブル、２８  制御盤、２９  通信ケーブル、３０  監視センタ、３１  表示器、３２  制御基盤、４０，４１，４２，４５  支点、４３  当接部。
【図１】
0006016338.tif 000002
【図２】
0006016338.tif 000003
【図３】
0006016338.tif 000004
【図４】
0006016338.tif 000005
【図５】
0006016338.tif 000006
【図６】
0006016338.tif 000007
【図７】
0006016338.tif 000008
【図８】
0006016338.tif 000009
【図９】
0006016338.tif 000010
【図１０】
0006016338.tif 000011
【図１１】
0006016338.tif 000012
【図１２】
0006016338.tif 000013
【図１３】
0006016338.tif 000014
【図１４】
0006016338.tif 000015